(57)【要約】【課題】サイズを抑えつつ、混合液に香りを付着させて泡状に吐出可能なフォーマーディスペンサを提供する。【解決手段】本発明のフォーマーディスペンサ１００は、容器の口部に保持されるベースキャップ１と、ベースキャップ１により保持されたポンプ２，３と、ポンプ２，３から圧送された内容液及び空気を合流、発泡させて外部へ吐出させるノズルヘッド１４とを備え、内容液用ポンプ２は、液用シリンダ４ａと液用ピストン５と圧送された内容液をノズルヘッド１４に送給する中空ステム７を備え、空気用ポンプ３はエアシリンダ４ｂとエアピストン１０とを備え、補助空気用ポンプ３０はノズルヘッド１４に設けられた補助エアシリンダ３０ｃと補助エアピストン３０ｓとを備え、エアシリンダ４ｂは補助エアシリンダ３０ｃと連通され、エアシリンダ４ｂ又は補助エアシリンダ３０ｃの少なくともいずれかには、香料Ｆが配置されていることを特徴とする。【選択図】図１
2018016404.tif 000002
【特許請求の範囲】
【請求項１】
容器の口部に保持されるベースキャップと、該ベースキャップにより容器の口部に垂下保持され内容液と空気とをそれぞれ個別に吸引、加圧、圧送する２つのポンプと、該ポンプから圧送された内容液及び空気を合流させるとともに、混合した内容液及び空気をその内側に設けた発泡部材により発泡させて外部へ吐出させるノズルヘッドとを備えるフォーマーディスペンサであって、
内容液の吸引、加圧、圧送に供するポンプは、容器内の内容液を受け入れる液用シリンダと、該液用シリンダの内周面に当接し該液用シリンダ内の内容液を加圧、圧送する液用ピストンと、該液用ピストンから圧送された内容液を前記ノズルヘッドに送給する内部通路を有する中空ステムとを備え、
空気の吸引、加圧、圧送に供するポンプは、
前記中空ステムの周囲に設けられたエアシリンダと、該エアシリンダの内周面に当接し該エアシリンダ内の空気を加圧、圧送するエアピストンとを有する空気用ポンプと、
前記ノズルヘッドに設けられ外部から空気を取り込む補助エアシリンダと、該補助エアシリンダの内部空間を移動して該補助エアシリンダ内の空気を加圧、圧送する補助エアピストンとを有する補助空気用ポンプとを備え、
前記エアシリンダは、前記補助エアシリンダと連通されており、
前記中空ステムは、前記ノズルヘッドの押下及び解放動作により上下方向に変位し、前記液用ピストン、前記エアピストン及び前記補助エアピストンは前記中空ステムに連係して上下方向に変位するものであり、
前記エアシリンダ又は前記補助エアシリンダの少なくともいずれか一方には、香料が空気に晒した状態で配置されていることを特徴とするフォーマーディスペンサ。
【請求項２】
前記香料はカートリッジに収容され、該カートリッジが前記エアシリンダ又は前記補助エアシリンダの少なくともいずれか一方に取付られている、請求項１に記載のフォーマーディスペンサ。
【請求項３】
前記補助エアピストンは開孔及び該開孔を閉塞する逆止弁を有する、請求項１又は２に記載のフォーマーディスペンサ。
【発明の詳細な説明】
【技術分野】
【０００１】
本発明は、内容液と空気との混合物を泡状に吐出させるフォーマーディスペンサに関するものである。
【背景技術】
【０００２】
シャンプー、ボディソープ、ハンドソープ、洗顔料等を充填した容器では、内容液の泡立て動作を省略して簡便な使用を図る観点から、容器内の内容液を直接泡状にして吐出することができるフォーマーディスペンサを装備したものが多用されている。
【０００３】
かかるディスペンサは、容器の口部に保持されるベースキャップに、内容液を吸引、加圧、圧送を行うピストンと、空気の吸引、加圧、圧送を行うエアピストンをそれぞれ同心に配置した単一のシリンダが取り付けられている。そして、ノズルヘッドを押圧して各ポンプ内のピストンを同期駆動させることで、内容液と空気をそれぞれ各シリンダ内に吸引するとともに加圧、圧送し、ポンプの出側における合流空間にて内容液と空気を相互に混合させつつメッシュ等の発泡部材を通過させることによって、内容液を泡状にして吐出させる仕組みになっている（例えば、特許文献１参照）。
【先行技術文献】
【特許文献】
【０００４】
【特許文献１】特開平８−２３０９６１号公報
【発明の概要】
【発明が解決しようとする課題】
【０００５】
ところで、このようなフォーマーディスペンサにおいて、内容物に香りを付けた上で泡状に吐出させたいというニーズがある。この場合の対応策の一つとして、容器内に既に香り成分を含有させた内容液を充填することが考えられる。しかし、既に量産されている香り成分を含まない内容物に対しても使用時に香りを付けて泡状に吐出させたいというニーズも多く、これに対応するためには、フォーマーディスペンサ内に香料を配置して混合前の空気に晒しておく必要がある。しかし、従来のフォーマーディスペンサのエアシリンダ内に香料を配置すると、エアシリンダのサイズが大きくなり、フォーマーディスペンサ全体が大型化する傾向にあった。
【０００６】
本発明は、このような問題点を解決することを課題とするものであり、その目的は、全体のサイズを抑えつつ、使用時に空気に香りを付着させて内容液と共に泡状に吐出することが可能な、新たなフォーマーディスペンサを提供することにある。
【課題を解決するための手段】
【０００７】
本発明は、容器の口部に保持されるベースキャップと、該ベースキャップにより容器の口部に垂下保持され内容液と空気とをそれぞれ個別に吸引、加圧、圧送する２つのポンプと、該ポンプから圧送された内容液及び空気を合流させるとともに、混合した内容液及び空気をその内側に設けた発泡部材により発泡させて外部へ吐出させるノズルヘッドとを備えるフォーマーディスペンサであって、
内容液の吸引、加圧、圧送に供するポンプは、容器内の内容液を受け入れる液用シリンダと、該液用シリンダの内周面に当接し該液用シリンダ内の内容液を加圧、圧送する液用ピストンと、該液用ピストンから圧送された内容液を前記ノズルヘッドに送給する内部通路を有する中空ステムとを備え、
空気の吸引、加圧、圧送に供するポンプは、
前記中空ステムの周囲に設けられたエアシリンダと、該エアシリンダの内周面に当接し該エアシリンダ内の空気を加圧、圧送するエアピストンとを有する空気用ポンプと、
前記ノズルヘッドに設けられ外部から空気を取り込む補助エアシリンダと、該補助エアシリンダの内部空間を移動して該補助エアシリンダ内の空気を加圧、圧送する補助エアピストンとを有する補助空気用ポンプとを備え、
前記エアシリンダは、前記補助エアシリンダと連通されており、
前記中空ステムは、前記ノズルヘッドの押下及び解放動作により上下方向に変位し、前記液用ピストン、前記エアピストン及び前記補助エアピストンは前記中空ステムに連係して上下方向に変位するものであり、
前記エアシリンダ又は前記補助エアシリンダの少なくともいずれか一方には、香料が空気に晒した状態で配置されていることを特徴とするフォーマーディスペンサである。
【０００８】
また、前記香料はカートリッジに収容され、該カートリッジが前記エアシリンダ又は前記補助エアシリンダの少なくともいずれか一方に取付られていることが好ましい。
【０００９】
また、前記補助エアピストンは開孔及び該開孔を閉塞する逆止弁を有することが好ましい。
【発明の効果】
【００１０】
本発明のフォーマーディスペンサによれば、全体のサイズを抑えつつ、使用時に空気に香りを付着させて内容液と共に泡状に吐出することが可能となる。
【図面の簡単な説明】
【００１１】
【図１】本発明に従うフォーマーディスペンサの一実施形態を、容器の口部に装着した状態で示す断面図である。
【図２】図１の状態からノズルヘッドを押下して内容液を吐出させた状態を示す断面図である。
【発明を実施するための形態】
【００１２】
以下、図面を参照して、本発明であるフォーマーディスペンサ１００の一実施形態を詳細に説明する。図１は、本発明に従うフォーマーディスペンサ１００の一実施形態を、容器Ｃの口部に装着した状態で示す断面図であって、図２は、図１の状態からノズルヘッド１４を押下して、内容物を泡状に吐出している状態を示す断面図である。なお、図２は図１に示すストッパー１５を取り外し、後述するスプリング８による上方付勢に抗してノズルヘッド１４を押下している状態を示している。また、本願明細書、特許請求の範囲、要約書、及び図面において上下方向とは、フォーマーディスペンサ１００を容器Ｃに装着して水平面上に正立させた状態を基準としており、上方とは図１における上方、下方とは図１における下方を意味するものとする。
【００１３】
図１において、符号１は、容器Ｃの口部に保持されるベースキャップである。ベースキャップ１は、天面壁１ａの縁部より垂下する外壁１ｂを有していて、外壁１ｂの内側に設けたネジ部を容器Ｃの口部に設けたネジ部にねじ込むことで着脱自在に保持される。なお、ベースキャップ１を容器Ｃに保持するには、アンダーカット等、既知の構成を用いてもよい。また、天面壁１ａの中央には上方へ向けて起立する中空頸部１ｃを設けている。中空頸部１ｃには、その内周面に上下方向に延びるリブ１ｅが設けられている。
【００１４】
符号２、３は、ベースキャップ１によって容器Ｃの口部に垂下保持され内容液と空気とをそれぞれ個別に吸引、加圧、圧送する２つのポンプである。内容液用ポンプ２及び空気用ポンプ３は、液用シリンダ４ａと、液用シリンダ４ａの上部に一体連結するエアシリンダ４ｂとが同軸に直列状に配置された形態をなす、単一のシリンダ４によって形成されている。シリンダ４の上方には径方向外側に延在するフランジ４ｆが設けられていて、容器Ｃに垂下保持されるにあたっては、このフランジ４ｆの下面側にパッキンを設け、容器Ｃの口部との間でパッキンを挟み込むようにしている。
【００１５】
ここで、内容液用ポンプ２は、液用シリンダ４ａの底部において、容器Ｃ内の内容液を流入させる吸引口４ｃを有している。また吸引口４ｃの縁部には、容器Ｃの底部に向けて延在する吸引パイプＰを嵌合保持するための嵌合筒４ｄを設けている。また液用シリンダ４ａ内には、液用シリンダ４ａの内周面に当接するとともにその軸線に沿って摺動可能に設けられた液用ピストン５が配され、液用ピストン５の内側に形成される内部通路ｔ１には、ポペット６が配される。ポペット６は、その下端に吸引口４ｃの開閉を行う弁部６ａを有し、その上端に内部通路ｔ１の出口の開閉を行う弁部６ｂを有している。そして、液用ピストン５の外側には、中空ステム７を配している。中空ステム７は、液用ピストン５を取り囲む下部筒状壁７ａと、下部筒状壁７ａの上部にて一体的に連結する中間フランジ７ｂと、中間フランジ７ｂから起立してベースキャップ１の貫通孔１ｆから突出する上部筒状壁７ｃとを備えている。また、ポペット６と液用ピストン５との間には、スプリング８が配されている。これにより、液用ピストン５及び中空ステム７はスライド可能に弾性支持される。
【００１６】
上述した中間フランジ７ｂは、図１に示すように、上部筒状壁７ｃの外周面から径方向外側に突出する。そして、上部筒状壁７ｃ上部は、径方向内側に延在する内向きフランジ７ｇを有している。また、内向きフランジ７ｇの上方には、内向きフランジ７ｇを弁座とするボール弁Ｂが設けられている。
【００１７】
空気用ポンプ３は、図１に示すように、エアシリンダ４ｂの内周面に当接するとともにその軸線に沿って摺動可能に設けられたエアピストン１０を備えている。エアピストン１０の径方向内側には、中空ステム７を取り囲むとともに初期姿勢にてベースキャップ１の貫通孔１ｆから突出する筒状ガイド１０ａが設けられていて、図１に示すように中空ステム７外側と筒状ガイド１０ａ内側との相互間に形成される隙間は、空気を通す第一通気路Ａ１となっている。なお、初期姿勢において、筒状ガイド１０ａの下端は、中間フランジ７ｂに当接するように構成されている。また、後述するように中空ステム７は、エアピストン１０に対して僅かにスライド可能となっていて、筒状ガイド１０ａの下端が中間フランジ７ｂに当接、離反することで、第一通気路Ａ１を開閉する弁として機能する。また、筒状ガイド１０ａから径方向外側に延在してエアシリンダ４ｂとの相互間に空気を加圧するための空間を形成する隔壁１０ｃには、エアシリンダ４ｂ内に空気を導入する開孔１０ｄが設けられている。
【００１８】
そして、中空ステム７の上方には、混合した内容液及び空気を、その内側に設けたメッシュリング１２（発泡部材）により発泡させて内部通路１４ａを通して外界へ吐出させるノズルヘッド１４が設けられている。本実施形態のノズルヘッド１４は、メッシュリング１２を保持するジェットリング１３を備えていて、このジェットリング１３を介してメッシュリング１２を保持するようにしている。
【００１９】
本実施形態のメッシュリング１２は、リング状となる本体部の一端部にメッシュが取り付けられたものであり、従来のメッシュリングよりもサイズ（直径）が大きなものが用いられている。また、本実施形態では総計２個のメッシュリング１２を、それぞれのメッシュが外側を向くように（メッシュを設けていない側が合わせ目となるように）してジェットリング１３に取り付けている。
【００２０】
またジェットリング１３は、メッシュリング１２を取り囲んで保持する上部筒部１３ａと、上部筒部１３ａに一体連結するとともに径方向内側に凹ませて該発泡部材を下方から支持する中間筒部１３ｃと、中間筒部１３ｃの下端に設けられ内容液と空気の混合物を通過させるリング開孔１３ｊと、リング開孔１３ｊの直下に設けられてボール弁Ｂの上方への変位を規制する弁ストッパ１３ｈとを有する。また、中間筒部１３ｃの外周側には、中間筒部１３ｃに一体連結するとともに下方に垂下して下端部が筒状ガイド１０ａの上端部を取り囲む下部筒部１３ｄが設けられている。
【００２１】
そして下部筒部１３ｄの内周面には、上部筒状壁７ｃの外周面に当接してジェットリング１３を嵌合保持する複数の縦リブ１３ｅが設けられている。なお、縦リブ１３ｅは、下部筒部１３ｄの軸線に沿って上下方向に延在するとともに、その上部は、上部筒状壁７ｃの上端に沿って径方向内側に延在している。すなわち、縦リブ１３ｅの相互間には、第一通気路Ａ１に通じるとともに、下部筒部１３ｄの軸線に沿って上下方向に延び、且つ上部筒状壁７ｃの上端に沿って径方向内側に向かう隙間（第二通気路Ａ２）が形成される。なお、図１に示すように初期姿勢において、下部筒部１３ｄの下端とエアピストン１０の隔壁１０ｃとの間には、寸法Ｌの隙間が形成されている。
【００２２】
ノズルヘッド１４は、内容液を流動させる内部通路１４ａが形成されたノズルヘッド本体部１４ｂと、後述する補助エアシリンダ空間３０ｃの外壁を形成するヘッドリング１４ｃとを備えている。ノズルヘッド本体部１４ｂには、その裏面に、上部筒部１３ａを嵌合保持する内部筒状壁１４ｄが設けられている。また、ヘッドリング１４ｃの下端と中空頸部１ｃの上端との間には、半径方向に隙間が設けられており、この隙間は、外部から補助エアシリンダ空間３０ｃ内に空気を導入する第三通気路Ａ３を形成している。
【００２３】
次に、第２の空気用ポンプである補助空気用ポンプ３０について説明する。補助空気用ポンプ３０は、図１に示すように、補助エアシリンダ空間３０ｃを構成するヘッドリング１４ｃと、ヘッドリング１４ｃの内周面に摺動しつつ上下に移動可能な補助エアピストン３０ｓとを有している。補助エアピストン３０ｓには、上下に貫く開孔３０ｓ１が設けられると共に、開孔３０ｓ１を開放及び閉塞する逆止弁３０ｖが設けられている。また、補助エアピストン３０ｓの内周端から下方にはシール周壁３０ｓ３が垂下しており、シール周壁３０ｓ３の下端はエアピストン１０の隔壁１０ｃの一端に当接している。また、シール周壁３０ｓ３と下部筒部１３ｄとの半径方向の隙間は、補助エアシリンダ空間３０ｃとエアシリンダ４ｂとを連通する第四通気路Ａ４を形成している。
【００２４】
補助エアシリンダ空間３０ｃ内には、香料カートリッジ２０が挿入されている。香料カートリッジ２０は、カートリッジ本体２２と蓋体２４により構成され、カートリッジ本体２２内には香料Ｆが収容されている。カートリッジ本体２２の底部には、複数の開孔２２ａが設けられており、気化した香料成分が開孔２２ａから補助エアシリンダ空間３０ｃ内に入り、更に第四通気路Ａ４、開孔１０ｄ、第一通気路Ａ１及び第二通気路Ａ２を経由して合流空間Ｇに供給される。なお、香料カートリッジ２０は、カートリッジ本体２２がノズルヘッド本体部１４ｂに設けられたヘッド開孔１４ｆに挿入され、カートリッジ本体２２の外周面に設けられた係合突起２２ｂがアンダーカット係合することにより固定されている。
【００２５】
なお、本実施形態では、固体の香料を用いることを想定しているが、この態様に限定されるものではなく、液体香料等、他の形態であってもよい。
【００２６】
ベースキャップ１の天面壁１ａとヘッドリング１４ｃとの間には、ノズルヘッド１４の不用意な押し下げを阻止するストッパー１５が設けられている。ストッパー１５は、平面視で略Ｃ字状をなすものであり、中空頸部１ｃの側方から着脱自在に装着することができる。
【００２７】
このように構成されるフォーマーディスペンサ１００において、図１に示すストッパー１５を取り外してノズルヘッド１４を下方に押し込むと、ジェットリング１３につながる中空ステム７が、図１に示す寸法Ｌの分、エアピストン１０に対して僅かにスライドする。換言するとエアピストン１０のスライドは、中空ステム７のスライドよりも寸法Ｌの分だけ遅れて始まることになる。これにより、図２に示すように筒状ガイド１０ａの下端が中間フランジ７ｂから離反して、エアピストン１０の内側と第一通気路Ａ１とが連通する。そして、ノズルヘッド１４の押し込みを継続すると、エアピストン１０の移動により、エアピストン１０の内側の空気が加圧され、かかる空気は、第一通気路Ａ１及び第二通気路Ａ２を通って、中空ステム７とジェットリング１３とで形成される空間（合流空間Ｇ）に向かう。
【００２８】
また、ノズルヘッド１４の下方への押し込みによって、図２に示すように、ヘッドリング１４ｃによって形成される補助エアシリンダ空間３０ｃ内で、補助エアピストン３０ｓが内周面に摺動しながら上昇する。これによって補助エアシリンダ空間３０ｃ内の圧力が高まり、香料成分が気化した空気が第四通気路Ａ４を通過し、更に開孔１０ｄ、第一通気路Ａ１及び第二通気路Ａ２を通って、中空ステム７とジェットリング１３とで形成される空間（合流空間Ｇ）に向かう。
【００２９】
一方、液用シリンダ４ａでは、ポペット６の弁部６ａが液用シリンダ４ａの内面に当接して吸引口４ｃが閉じ、液用シリンダ４ａ内が加圧され、更なるノズルヘッド１４の押し込みにより、図２に示すように液用ピストン５における内部通路ｔ１の出口からポペット６の弁部６ｂが離反し、内部通路ｔ１内に存在する内容液が、中空ステム７の上部筒状壁７ｃの内側（内部通路ｔ２）内に流れる。そして、液用シリンダ４ａ内の加圧によってボール弁Ｂが押し上げられて弁が開放するため、内容液は、図２に示すように、第二通気路Ａ２を通り抜けた空気とともに合流空間Ｇへ流れる。
【００３０】
そして、合流空間Ｇにて気液混合状態となった内容液は、メッシュリング１２を通って泡状となり、ノズルヘッド１４の内部通路１４ａを通って外界へ吐出される。
【００３１】
ノズルヘッド１４を押し切った後、押し込みにかかる力を取り除くと、スプリング８の反発力で液用ピストン５、中空ステム７は初期姿勢へと復帰し、ボール弁Ｂは、内部通路ｔ２内の圧力低下に伴い自重で内向きフランジ７ｇに着座する。
【００３２】
この復帰過程において、液用ピストン５の上方へのスライドによって液用シリンダ４ａ内が負圧となり、ポペット６が僅かに上昇して弁部６ａが開放される。弁部６ａの開放により液用シリンダ４ａの吸引口４ｃが開き、吸引口４ｃから液用シリンダ４ａ内に容器Ｃ内の内容液が吸引される。
【００３３】
一方、エアシリンダ４ｂでは、エアピストン１０の上方へのスライドが寸法Ｌの分だけ遅れて始まるため、図１に示すように第一通気路Ａ１は、筒状ガイド１０ａの下端が中間フランジ７ｂに当接して閉じた状態となる。このため、エアピストン１０が上方へスライドすると、エアピストン１０の内側は負圧となるため、第四通気路Ａ４及び補助エアシリンダ空間３０ｃ内も負圧となり、開孔３０ｓ１を閉じていた逆止弁３０ｖが開放され、外部と連通する第三通気路Ａ３から流入した空気がリブ３０ｓ２、開孔３０ｓ１及び逆止弁３０ｖを経由して補助エアシリンダ空間３０ｃ内に導入される。補助エアシリンダ空間３０ｃ内に導入された空気の一部は、更に第四通気路Ａ４、及び開孔１０ｄを通ってエアピストン１０の内側に流入する。また、エアシリンダ４ｂの上部には、図１に示すように横孔４ｅが設けられていて、ベースキャップ１の中空頸部１ｃの内側を通った空気は、横孔４ｅを通して容器Ｃ内にも流入する。これにより、内容物が容器Ｃ内から吐出されても、容器Ｃ内が負圧状態のままになることはない。
【００３４】
このようにしてノズルヘッド１４の押し込みと初期姿勢への復帰を繰り返し行うことで、容器Ｃ内の内容液を泡状にして連続的に吐出させることができる。
【００３５】
なお、本実施形態では、香料カートリッジ２０を補助空気用ポンプ３０に取り付けるように構成したが、この態様には限定されない。空気用ポンプ３に香料カートリッジ２０を取り付けると共に排気量を抑えて空気用ポンプ３のサイズの増大を抑制する一方、補助空気用ポンプ３０の排気量を増やすことによってフォーマーディスペンサ１００全体として所定の空気の供給量を確保するように構成してもよい。
【００３６】
以上のように、本実施形態によれば、内容液用ポンプ２の外周側に空気用ポンプ３を設けると共に、ノズルヘッド１４内に補助空気用ポンプ３０を設け、空気用ポンプ３のエアシリンダ４ｂと補助空気用ポンプ３０の補助エアシリンダ空間３０ｃとを連通させると共に、補助エアシリンダ空間３０ｃ内に香料Ｆを収容した香料カートリッジ２０を配置するように構成した。これによって、空気用ポンプ３を大型化することなく、ノズルヘッド１４の外周側のスペースを有効利用して補助空気用ポンプ３０を形成して香料Ｆを配置することができるので、フォーマーディスペンサ１００を大型化することなく、使用時に混合液に香りを付着させて泡状に吐出することができる。特に本実施形態では、香料Ｆを補助エアシリンダ空間３０ｃに配置し、空気に香りを付けるように構成したので、内容液に香りを付ける場合と異なり、使用の途中で香料Ｆを他の香料に置き換えて継続使用することができる。
【００３７】
また、本実施形態によれば、香料Ｆを香料カートリッジ２０に収容して補助エアシリンダ空間３０ｃに取り付けるように構成したので、香料Ｆの着脱を容易に行って異なる香りを付着させることができる。
【００３８】
また、本実施形態によれば、補助エアピストン３０ｓは開孔３０ｓ１を閉塞する逆止弁３０ｖを有するように構成したので、ノズルヘッド１４を押下して内容液を吐出する際に、エアシリンダ４ｂ及び補助エアシリンダ空間３０ｃ内の空気が外部に漏出することがない。
【００３９】
本発明を諸図面や実施例に基づき説明してきたが、当業者であれば本開示に基づき種々の変形や修正を行うことが容易であることに注意されたい。従って、これらの変形や修正は本発明の範囲に含まれることに留意されたい。例えば、各構成部に含まれる機能などは論理的に矛盾しないように再配置可能であり、複数の構成部を１つに組み合わせたり、或いは分割したりすることが可能である。本発明の範囲にはこれらも包含されるものと理解されたい。
【産業上の利用可能性】
【００４０】
本発明のフォーマーディスペンサ１００によれば、全体サイズを抑えつつ、空気に香りを付着させて内容液と共に泡状に吐出させることが可能となる。
【符号の説明】
【００４１】
１    ベースキャップ
１ａ  天面壁
１ｂ  外壁
１ｃ  中空頸部
１ｅ  リブ
１ｆ  貫通孔
２    内容液用ポンプ（ポンプ）
３    空気用ポンプ（ポンプ）
４    シリンダ
４ａ  液用シリンダ
４ｂ  エアシリンダ
４ｃ  吸引口
４ｄ  嵌合筒
４ｅ  横孔
４ｆ  フランジ
５    液用ピストン
６    ポペット
６ａ  弁部
６ｂ  弁部
７    中空ステム
７ａ  下部筒状壁
７ｂ  中間フランジ
７ｃ  上部筒状壁
７ｇ  内向きフランジ
８    スプリング
１０  エアピストン
１０ａ  筒状ガイド
１０ｂ  リブ
１０ｃ  隔壁
１０ｄ  開孔
１２  メッシュリング（発泡部材）
１３  ジェットリング
１３ａ  上部筒部
１３ｃ  中間筒部
１３ｄ  下部筒部
１３ｅ  縦リブ
１３ｈ  弁ストッパ
１３ｊ  リング開孔
１４  ノズルヘッド
１４ａ  内部通路
１４ｂ  ノズルヘッド本体部
１４ｃ  ヘッドリング（補助エアシリンダ）
１４ｄ  内部筒状壁
１４ｆ  ヘッド開孔
１５  ストッパー
２０  香料カートリッジ
２２  カートリッジ本体
２２ａ  開孔
２２ｂ  係合突起
２４  蓋体
３０  補助空気用ポンプ
３０ｃ  補助エアシリンダ空間
３０ｓ  補助エアピストン
３０ｓ１  開孔
３０ｓ２  リブ
３０ｓ３  シール周壁
３０ｖ    逆止弁
１００  フォーマーディスペンサ
Ａ１  第一通気路
Ａ２  第二通気路
Ａ３  第三通気路
Ａ４  第四通気路
Ｂ    ボール弁
Ｃ    容器
Ｆ    香料
Ｇ    合流空間
Ｌ    寸法
Ｐ    吸引パイプ
ｔ１  内部通路
ｔ２  内部通路
【図１】
2018016404.tif 000003
【図２】
2018016404.tif 000004